(57)【要約】【課題】通風性を備えた装飾材において、軽量化と保管時の省スペース化を達成する。【解決手段】山折り線２５と谷折り線２６を交互に設けて成るプリーツシート２１と、プリーツシート２１の二辺に取り付けられた棒状の第１支持体２２及び第２支持体２３と、両端が第１支持体２２と第２支持体２３に固定され、プリーツシート２１を貫通するプリーツ保持コード２４とを備えた装飾材において、一本の谷折り線２６と交叉する切れ目と、切れ目の両端から前記一本の谷折り線２６上の一点に延びる谷折りの折り目を設けると共に、前記一本の谷折り線２６のうち前記切れ目と折り目２８とで囲まれる領域に含まれる部分に代えて、前記一点から前記切れ目に引かれた垂線である山折りの折り目を設け、山折り線２５、谷折り線２６、前記谷折りの折り目、及び前記山折りの折り目に沿ってプリーツシート２１を折り曲げることで切れ目を開いて開口３２を形成する。【選択図】図１
2018151085.tif 000002
【特許請求の範囲】
【請求項１】
a)互いに平行な２辺を有するシート材に、該２辺に平行な山折り線と谷折り線を一定間隔で交互にそれぞれ複数本設けて成るプリーツシートと、
b)前記プリーツシートの前記２辺の一方に沿って取り付けられた棒状の第１支持体と、
c)前記プリーツシートの前記２辺の他方に沿って取り付けられた棒状の第２支持体と、
d)一端が前記第１支持体に固定されると共に他端が前記第２支持体に固定された紐であって、前記プリーツシートを前記山折り線及び前記谷折り線と直交する方向に貫通するプリーツ保持コードと、
e)前記プリーツシートの前記山折り線上又は前記谷折り線上に設けられた複数の開口部と、
を有することを特徴とする装飾材。
【請求項２】
f)前記山折り線のうちの隣り合う２本で挟まれた領域に設けられた切り込みであって、前記谷折り線のうちの該領域に位置する１本と交叉する切れ目と、
g)前記切れ目の両端から該切れ目と交叉する前記谷折り線上の一点に延びる谷折りの折り目と、
h)前記谷折り線のうち前記切れ目と前記谷折りの折り目とで囲まれる領域に含まれる部分に代えて設けられた、前記一点から前記切れ目に引かれた垂線である山折りの折り目と、
を有し、前記開口部が、前記山折り線、前記谷折り線、前記山折りの折り目、及び前記谷折りの折り目に沿って前記プリーツシートを折り曲げて前記切れ目を開くことにより形成されたものであることを特徴とする請求項１に記載の装飾材。
【請求項３】
前記谷折りの折り目が、前記切れ目の両端から、該切れ目と交叉する前記谷折り線上の該記切れ目を挟んで一方の側に位置する一点と他方の側に位置する一点とに延びる４本の折り目であることを特徴とする請求項２に記載の装飾材。
【請求項４】
前記第１支持体と前記第２支持体を鉛直に立設した状態で取付対象に取り付けられることを特徴とする請求項１〜３のいずれかに記載の装飾材。
【請求項５】
a)請求項１〜４のいずれかに記載の装飾材と、
b)該装飾材を、前記プリーツシートが取付対象機器の少なくとも前面に位置するように該取付対象機器に取り付ける取付手段と、
を有することを特徴とする機器カバー。
【請求項６】
前記取付手段が、前記取付対象機器に取り付けられ、前記第１支持体及び前記第２支持体の少なくとも一方を支持するフレームを含み、
該フレームが、２本の棒状の部材であって前記取付対象機器の前面に配置される第１前面部材と第２前面部材を含み、
前記第１前面部材が、前記取付対象機器の前面に設けられた吸気口又は排気口と内部点検口の蓋との間に配置され、前記第２前面部材が、該吸気口又は排気口を挟んで前記第１前面部材とは逆の側に配置されていることを特徴とする請求項５に記載の機器カバー。
【発明の詳細な説明】
【技術分野】
【０００１】
本発明は、装飾材及びそれを用いた機器カバーに関する。
【背景技術】
【０００２】
従来、家屋の美観向上や景観保全の観点から、空気調和装置（エアコン）の室外機にカバーが取り付けられる場合がある。一般的に、こうした室外機カバーは、室外機の前面と両側面を覆うコの字型の形状や、室外機の前面、両側面、及び上面を覆う箱形の形状を有しており、その全体が金属若しくは木材又は両者の組み合わせで構成されている。こうした室外機カバーは、室外機のファンからの排気を通過させるために、通常、少なくともその前面が格子状、柵状、又はメッシュ状に構成されている。
【０００３】
また、上記のような金属や木材から成る室外機カバーの他に、室外機の前面をビニールシートなどのシート材で覆う形態の室外機カバーも存在する（例えば、特許文献１、２を参照）。こうした室外機カバーでは、シート材を室外機の前面に対して斜め下又は斜め上に傾けた状態で固定することにより、シート材と室外機の間に空間を設け、該空間の側方から排気を逃がすようになっている。
【先行技術文献】
【特許文献】
【０００４】
【特許文献１】特開2013-019593号公報
【特許文献２】実開平04-011331号公報
【発明の概要】
【発明が解決しようとする課題】
【０００５】
空気調和装置の室外機に上記のようなカバーを取り付けた場合、その後に室外機内部の点検や部品交換などのメンテナンスを行う際には、一旦カバーを取り外して別の場所に移動させ、メンテナンスの完了後にカバーを再び元の位置に戻すという作業が必要となる。しかし、上述の室外機カバーのうち全体が金属や木材で構成されたものは、重量が大きく且つ嵩張るため、カバーの移動に掛かる作業者の負担が大きくなると共に、カバーを一時保管するためのスペースが必要となるという問題があった。一方、室外機の前面をシートで覆うタイプの室外機カバーは比較的軽量であり、コンパクトに保管することもできるが、室外機からの排気を側方に流す構成であるため排気効率の面で改善の余地があった。
【０００６】
なお、ここでは空気調和装置の室外機カバーを例に挙げたが、その他の吸気及び／又は排気機構を備えた機器（例えば、換気扇や給湯器など）のカバーや、その他の通風性が必要な装飾材、例えば、家屋の庭やベランダに配置される目隠し用のフェンス（例えばラティスなど）においても、同様に軽量化や保管時の省スペース化の要望があった。
【０００７】
本発明は上記の点に鑑みて成されたものであり、その目的とするところは、空気調和装置の室外機などの吸排気機構を備えた機器のカバーや家屋の目隠し用フェンスなどに用いられる通風性を備えた装飾材において、軽量化と保管時の省スペース化を達成することにある。
【課題を解決するための手段】
【０００８】
上記課題を解決するために成された本発明に係る装飾材は、
a)互いに平行な２辺を有するシート材に、該２辺に平行な山折り線と谷折り線を一定間隔で交互にそれぞれ複数本設けて成るプリーツシートと、
b)前記プリーツシートの前記２辺の一方に沿って取り付けられた棒状の第１支持体と、
c)前記プリーツシートの前記２辺の他方に沿って取り付けられた棒状の第２支持体と、
d)一端が前記第１支持体に固定されると共に他端が前記第２支持体に固定された紐であって、前記プリーツシートを前記山折り線及び前記谷折り線と直交する方向に貫通するプリーツ保持コードと、
e)前記プリーツシートの、前記山折り線上又は前記谷折り線上に設けられた複数の開口部と、
を備えることを特徴としている。
【０００９】
上記構成から成る本発明に係る装飾材は、大部分がシート材から成り軽量であるため、取り付け作業や取り外し作業における作業者の負担を軽減することができる。また、使用しないときはプリーツシートを前記谷折り線と山折り線に沿って畳むことによりコンパクトに保管・搬送することができる。また、プリーツシートに当たった風はプリーツの折り目（すなわち山折り線及び谷折り線）に沿って流れるため、該折り目上に開口部を形成したことにより、空気を効率よく通過させることができる。更に、シート材をプリーツ形状とすることで、プリーツの折り目に沿った方向の剛性を高めることができるため、風によるシート材の変形を抑制することもできる。
【００１０】
上記本発明に係る装飾材は、
f)前記山折り線のうちの隣り合う２本で挟まれた領域に設けられた切り込みであって、前記谷折り線のうちの該領域に位置する１本と交叉する切れ目と、
g)前記切れ目の両端から該切れ目と交叉する前記谷折り線上の一点に延びる谷折りの折り目と、
h)前記谷折り線のうち前記切れ目と前記谷折りの折り目とで囲まれる領域に含まれる部分に代えて設けられた、前記一点から前記切れ目に引かれた垂線である山折りの折り目と、
を有し、前記開口部が、前記山折り線、前記谷折り線、前記山折りの折り目、及び前記谷折りの折り目に沿って前記プリーツシートを折り曲げて前記切れ目を開くことにより形成されたものであることが望ましい。
【００１１】
このような構成によれば、プリーツシート上に開口部を形成すると同時に立体的な装飾を施すことができる。
【００１２】
更に、上記本発明に係る装飾材は、前記谷折りの折り目を、前記切れ目の両端から、該切れ目と交叉する前記谷折り線上の該切れ目を挟んで一方の側に位置する一点と他方の側に位置する一点とに延びる４本の折り目とすることが望ましい。
【００１３】
これにより、谷折りの折り目を切れ目の一方の側のみに設けた場合に比べて、該切れ目を大きく開くことができ、開口部を大きくして通風性を高めることができる。
【００１４】
なお、上記本発明に係る装飾材は、前記第１支持体と前記第２支持体を水平とした状態で取付対象に取り付けられるものとしてもよく、前記第１支持体と前記第２支持体を鉛直に立設した状態で取付対象に取り付けられるものとしてもよい。
【００１５】
また、上記本発明に係る装飾材は、一枚の前記プリーツシートによって取付対象の隣接する２面以上を覆うように取り付けられるものとすることができる。
【００１６】
これにより、例えば直方体状を有する取付対象物の前面と側面や、前面と上面を一枚のプリーツシートによって覆うことができる。なお、取付対象物の前面と上面を覆う場合、本発明に係る装飾材は、前記第１支持体と第２支持体を水平とした状態で該取付対象物に取り付ける。また、取付対象物の前面と側面を覆う場合、本発明に係る装飾材は、前記第１支持体と第２子支持体を鉛直に立設した状態で該取付対象物に取り付ける。
【００１７】
上記課題を解決するために成された本発明に係る機器カバーは、
a)前記装飾材と、
b)該装飾材を、前記プリーツシートが取付対象機器の少なくとも前面に位置するように該取付対象機器に取り付ける取付手段と、
を有することを特徴としている。
【００１８】
また、上記本発明に係る機器カバーは、
前記取付手段が、前記取付対象機器に取り付けられ、前記第１支持体及び前記第２支持体の少なくとも一方を支持するフレームを含み、
該フレームが、２本の棒状の部材であって前記取付対象機器の前面に配置される第１前面部材と第２前面部材を含み、
前記第１前面部材が、前記取付対象機器の前面に設けられた吸気口又は排気口と内部点検口の蓋との間に配置され、前記第２前面部材が、該吸気口又は排気口を挟んで前記第１前面部材とは逆の側に配置されたものとすることが望ましい。
【００１９】
ここで、第１前面部材は、その幅方向の少なくとも一部が吸気口又は排気口と内部点検口の間に位置すればよく、必ずしも幅方向の全体が吸気口又は排気口と内部点検口の間に位置していることを要しない。例えば、吸気口又は排気口と内部点検口の蓋との間隔が小さい場合は、第１前面部材の一部がファンガード又は内部点検口の前面に掛かっていてもよい。
【００２０】
上記の構成によれば、装飾材をフレームから取り外すだけで、フレームを取付対象機器から取り外すことなく内部点検口の蓋を開閉することができるため、当該機器のメンテナンス作業時等における作業者の負担を一層軽減することができる。
【発明の効果】
【００２１】
以上の通り、上記本発明によれば、軽量で運搬、設置、及び取り外しが容易であり、且つ通風性に優れた装飾材及びそれを用いた機器カバーを提供することができる。
【図面の簡単な説明】
【００２２】
【図１】第１実施形態による室外機カバーを室外機に取り付けた状態を示す斜視図。
【図２】前記室外機カバーの開口部周辺の部分拡大図。
【図３】同実施形態におけるフレームの構造を示す模式図。
【図４】同実施形態における室外機カバーの取り付け方法を説明するための模式図。
【図５】同実施形態におけるフレームの構造の別の例を示す模式図。
【図６】第２実施形態による室外機カバーを室外機に取り付けた状態を示す側面図。
【図７】同実施形態におけるフレームの構造を示す模式図。
【図８】第３実施形態による室外機カバーを室外機に取り付けた状態を示す上面図。
【図９】同実施形態におけるフレームの構造を示す模式図。
【図１０】同実施形態におけるフレームの構造の別の例を示す模式図。
【図１１】本発明における開口部の他の形態を示す模式図。
【発明を実施するための形態】
【００２３】
（第１実施形態）
本発明の第１実施形態に係る室外機カバー（機器カバー）について図１〜図５を参照しつつ説明する。図１は本実施形態に係る室外機カバーを空気調和装置の室外機に取り付けた状態を示す斜視図である。この室外機カバーは、室外機１の前面を覆う装飾部２（本発明に係る装飾材に相当）と、装飾部２を室外機１に取り付けるためのフレーム４、５（本発明に係る取付手段に相当）とを備えており、装飾部２は、プリーツシート２１と、プリーツシート２１の上下に取り付けられた第１支持体２２及び第２支持体２３と、第１支持体２２及び第２支持体２３の間に張設された複数のプリーツ保持コード２４とを有している。
【００２４】
プリーツシート２１を構成するシート材には、例えば和紙等の紙や、プラスチックシート、布、又は不織布等を用いることができる。また、該シート材としては難燃性の素材を使用するか難燃加工を施すことが望ましく、更に、防水性の素材を使用するか防水加工又は撥水加工を施すことが望ましい。プリーツシート２１の色は、周囲の景観に調和するようベージュ系や茶系の色とすることが望ましいが、鮮やかな色彩や模様を有するものとすることで装飾性を持たせるようにしてもよい。プリーツシート２１は、矩形のシート材に一定間隔で繰り返し山折りと谷折りを施すことによりプリーツ状（屏風状）に加工されている。以下、このプリーツを構成する山折り線を山線２５、谷折り線を谷線２６とよぶ。
【００２５】
プリーツシート２１には、複数の菱形の立体模様３１が形成され、各立体模様３１の中央には菱形の開口部３２が形成されている。図２（ａ）は、プリーツシート２１を構成するシート材を平坦に広げた状態を示し、図２（ｂ）は、シート材を立体的に折り曲げた状態を示している。なお、図中の破線は山折りを意味し、一点鎖線は谷折りを意味している。立体模様３１及び開口部３２は、シート材の１本の谷線２６と直交し、この谷線２６を挟んで上下に位置する２本の山線２５に至る１本の切れ目２７と、切れ目２７の両端と切れ目２７の左右に位置する谷線２６上の二つの点Ｐａ、Ｐｂとを結ぶ４本の谷折りの折り目２８と、によって形成される。なお、谷線２６のうち、谷折りの折り目２８及び切れ目２７で囲まれた領域に含まれる部分は山折りの折り目２９に変換される。図２（ａ）のシート材を前記の山線２５、谷線２６、谷折りの折り目２８、及び山折りの折り目２９に従って折り曲げると、図２（ｂ）に示すように、４本の谷折りの折り目２８で囲まれた菱形の領域が前方に突出し、これに伴って切れ目２７が左右に押し広げられ菱形の開口部３２が形成される。この開口部３２は、室外機１のファンからの排気を通過させる役割を果たす。このとき、プリーツシート２１の裏面に当たった排気を、菱形の立体模様３１によって開口部３２に集めることができるため、単に同程度の面積の開口をプリーツシート２１に設けた場合に比べて高い通風性を得ることができる。なお、こうした開口部３２は、プリーツシート２１のうち、室外機１に取り付けた際にファンの前方に位置する領域のみに設けてもよいが、美観上はプリーツシート２１の全域に設けることが望ましい。
【００２６】
第１支持体２２及び第２支持体２３は、例えば木材や、金属、又はプラスチックから成る棒であり、プリーツシート２１の上辺と下辺、すなわち谷線２６及び山線２５に平行な２辺にそれぞれ接着やビス留め等により取り付けられる。なお、第１支持体２２及び第２支持体２３は、断面形状が三角形であって、該三角形の二辺の長さがプリーツシート２１の谷線と山線の間の距離と略等しいものとすることが望ましい。このような構成によれば、第１支持体２２及び第２支持体２３がそれぞれ有する３つの側面のうち、前記二辺を含む２つの側面にプリーツシート２１を接着することにより、プリーツシート２１に第１支持体２２及び第２支持体２３を取り付けると同時に第１支持体２２及び第２支持体２３をプリーツシート２１によって隠蔽することができ、美観的により優れたものとすることができる。
【００２７】
プリーツ保持コード２４は、天然繊維又は合成繊維から成る細い紐であり、各コード２４は、一端が第１支持体２２に結びつけられ、他端が第２支持体２３に結びつけられている。これらのプリーツ保持コード２４は、互いに平行且つプリーツシート２１の山線２５及び谷線２６に直交するようにしてプリーツシート２１を複数回貫通している。各コード２４は同一の長さを有し、その長さはプリーツシート２１を平坦に伸ばした状態における該シート２１の長さ、すなわち上辺から下辺までの距離よりも小さくなっている。これにより、第１支持体２２と第２支持体２３との距離は、常にプリーツシート２１の長さよりも小さくなるため、プリーツシートが延びきった状態となるのを防止し、プリーツ形状を維持することができる。また、これらのプリーツ保持コード２４は、プリーツシート２１に室外機１のファンからの風が当たった際に、プリーツシート２１が前方に膨らむのを防止する役割もある。
【００２８】
上記構成から成る装飾部２は、室外機１に取り付けられたフレームに固定される。図３に示すように、フレームは、室外機１の右側に取り付けられる第１フレーム４と左側に取り付けられる第２フレーム５を含んでいる。なお、第１フレーム４と第２フレーム５は、それぞれ室外機１の左右両端付近に取り付けてもよいが、図３に示すように、第１フレーム４を室外機１前面のファンガード１１（本発明における排気口に相当する）と点検口１２の間に配置することが望ましい。これにより、室外機１のメンテナンスを行う際にも、第１フレーム４を取り外すことなく点検口１２の蓋を開閉することができる。
【００２９】
第１フレーム４及び第２フレーム５は、いずれも室外機１の前面に配置される前面部材４１、５１と、室外機１の後面に配置される後面部材４２、５２と、室外機１の上面に配置され前面部材４１、５１の上端と後面部材４２、５２の上端とを連結する上面部材４３、５３と、室外機１の下面に配置され前面部材４１、５１の下端と後面部材４２、５２の下端を連結する下面部材４４、５４とを備えている。なお、前面部材４１が本発明における第１前面部材に相当し、前面部材５１が本発明における第２前面部材に相当する。これらの部材４１〜４４、５１〜５４は、いずれも幅3 cm厚さ2 mm程度の鋼材等から成り、溶接やネジ留めによって互いに連結されている。上面部材４３、５３の前端と下面部材４４、５４の前端はそれぞれ鉛直上方に向かって起立するように折り曲げられ、この起立部分（起立部４３ａ、４４ａ、５３ａ、５４ａとよぶ）には後述するボルトを挿通するための孔６１が設けられている。
【００３０】
装飾部２をフレーム４、５に取り付ける際は、第１支持体２２の左端を第２フレーム５の上面部材５３の起立部５３ａに固定し、第１支持体２２の中央部を第１フレーム４の上面部材４３の起立部４３ａに固定する。同様に、第２支持体２３の左端を第２フレーム５の下面部材５４の起立部５４ａに固定し、第２支持体２３の中央部を第１フレーム４の下面部材４４の起立部４４ａに固定する。例えば、図４に示すように、第１支持体２２の裏面にはＣ形鋼７１が接着又はビス留め等によって取り付けられ、Ｃ形鋼７１の内部にはレールナット７２が挿入される。そして、起立部４３ａに設けられた孔６１（図４では図示略）に、寸切りボルト７３が挿通され、その前端がレールナット７２に螺合され、その後端がナット７４で締結される。なお、ここでは第１支持体２２と第１フレーム４の上面部材４３との固定方法を例に挙げて説明したが、他の部分の固定方法も同様である。
【００３１】
なお、フレーム４、５は、前面部材４１、５１及び後面部材４２、５２の上下方向の寸法を調整できるようにすることが望ましい。例えば、図５に示すように、前面部材４１、５１及び後面部材４２、５２を、それぞれ上面部材４３、５３に連結された上端部４１ａ、４２ａ、５１ａ、５２ａ、下面部材４４、５４に連結された下端部４１ｂ、４２ｂ、５１ｂ、５２ｂ、及び両者の間に介挿される中間部４１ｃ、４２ｃ、５１ｃ、５２ｃの３つのパーツで構成する。上端部４１ａ、４２ａ、５１ａ、５２ａの下端と下端部４１ｂ、４２ｂ、５１ｂ、５２ｂの上端には円形のネジ孔６１を設け、中間部４１ｃ、４２ｃ、５１ｃ、５２ｃの上端と下端にはそれぞれ上下方向に延びる長孔６２を設ける。これらのネジ孔６１及び長孔６２にネジ等を挿通してナット等で締結することにより、上端部４１ａ、４２ａ、５１ａ、５２ａと下端部４１ｂ、４２ｂ、５１ｂ、５２ｂの間に中間部４１ｃ、４２ｃ、５１ｃ、５２ｃを連結する。このとき、長孔６２の長さ方向のいずれの位置にネジを通すかによってフレーム４、５の上下方向の寸法を調節することができる。
【００３２】
（第２実施形態）
次に、本発明の第２実施形態に係る室外機カバー（機器カバー）について図６又は図７を参照しつつ説明する。なお、図６は本実施形態に係る室外機カバーを室外機に取り付けた状態を右側方から見た図であり、図中の左側が前方である。
【００３３】
本実施形態における室外機カバーの基本的な構造は上述した第１実施形態のものと同一である。但し、本実施形態では、装飾部２のプリーツシート２１が第１実施形態のものよりも長くなっており、図６に示すように室外機１の前面と上面を一つのプリーツシート２１で覆うものとなっている。本実施形態におけるフレーム４、５は、図７に示すように、室外機１の右側に取り付けられる第１フレーム４と左側に取り付けられる第２フレーム５を含んでいる。本実施形態においても、点検口１２の蓋の開閉を妨げないよう、第１フレーム４はファンガード１１と点検口１２の間に配置することが望ましい。第１フレーム４及び第２フレーム５は、それぞれ前面部材４１、５１と、後面部材４２、５２と、上面部材４３、５３と、下面部材４４、５４とを備えており、上面部材４３、５３と下面部材４４、５４の前端には起立部が設けられている。更に、後面部材４２、５２の上端が室外機１の上面よりも上方に数cm〜十数cm突出しており、この突出した部分の先端が、水平方向前方に折り曲げられている（この水平部分を以下、水平部４２ｂ、５２ｂとよぶ）。これらの後面部材４２、５２の水平部４２ｂ、５２ｂと、下面部材４４、５４の起立部４４ａ、５４ａにはそれぞれボルトを挿通するための孔６１が設けられている。
【００３４】
本実施形態において、装飾部２の第１支持体２２は、その左端が第２フレーム５の後面部材５２の水平部５２ｂに固定され、その中間部が第１フレーム４の後面部材４２の水平部４２ｂに固定される。また、第２支持体２３は、その左端が第２フレーム５の下面部材５４の起立部５４ａに固定され、その中間部が第１フレーム４の下面部材４４の起立部４４ａに固定される。これらのフレーム４、５への第１支持体２２及び第２支持体２３の固定方法は、図４で示したものと同様とすることができる。なお、第１フレーム４及び第２フレーム５の上面部材４３、５３の起立部４３ａ、５３ａは、プリーツシート２１を裏面側から支持して室外機１にプリーツシート２１が触れるのを防止する役割を果たす。
【００３５】
（第３実施形態）
本発明の第３実施形態に係る室外機カバー（機器カバー）について図８又は図９を参照しつつ説明する。なお、図８は本実施形態に係る室外機カバーを室外機に取り付けた状態を示す上面図であり、図中の上側が前方である。
【００３６】
本実施形態における室外機カバーの基本的構造は、上述した第１実施形態と同一である。但し、本実施形態では、装飾部２を第１実施形態の使用状態から９０度回転させた状態、すなわち、第１支持体２２及び第２支持体２３を略鉛直に立設させた状態で使用し、室外機１の前面と側面を一つのプリーツシート２１で覆うものとなっている（図８参照）。フレーム４、５は、図９に示すように、室外機１の右側に取り付けられる第１フレーム４と左側に取り付けられる第２フレーム５とを含んでいる。本実施形態においても、点検口１２の蓋の開閉を妨げないよう、第１フレーム４はファンガード１１と点検口１２の間に配置することが望ましい。第１フレーム４及び第２フレーム５は、前面部材４１、５１と、後面部材４２、５２と、上面部材４３、５３と、下面部材４４、５４とを含み、上面部材４３、５３と下面部材４４、５４の前端には起立部４３ａ、４４ａ、５３ａ、５４ａが設けられている。更に、第１フレーム４の上面部材４３から水平方向右に向かって延伸する前側上部側方部材８１及び後側上部側方部材８２と、第１フレーム４の下面部材４４から水平方向右に向かって延伸する前側下部側方部材８３及び後側下部側方部材８４が設けられている。これらの側方部材８１〜８４は、室外機１の右側面から数cm〜十数cm突出しており、この突出した部分の先端が、いずれも上方に起立するように折り曲げられている（この起立部分を以下、起立部８１ａ、８２ａ、８３ａ、８４ａとよぶ）。第２フレーム５の上面部材５３と下面部材５４の起立部５３ａ、５４ａ、及び後側上部側方部材８２と後側下部側方部材８４の起立部８２ａ、８４ａにはそれぞれボルトを挿通するための孔６１が設けられている。
【００３７】
装飾部２の第１支持体２２は、その下端が第２フレーム５の下面部材５４の起立部５４ａに固定され、上端が第２フレーム５の上面部材５３の起立部５３ａに固定される。一方、第２支持体２３は、その下端が後側下部側方部材８４の起立部８４ａに固定され、その上端が後側上部側方部材８２の起立部８２ａに固定される。フレーム４、５への第１支持体２２及び第２支持体２３の固定方法は、図４で示したものと同様とすることができる。第１フレーム４の上面部材４３及び下面部材４４の起立部４３ａ、４４ａと、前側上部側方部材８１及び前側下部側方部材８３の起立部８１ａ、８３ａは、プリーツシート２１を裏面側から支持して室外機１にプリーツシート２１が触れるのを防止する役割を果たす。
【００３８】
なお、本実施形態では室外機１の前面と右側面を一枚のプリーツシート２１でカバーする構成としたが、室外機１の前面と右側面及び左側面の３面を一枚のプリーツシート２１でカバーする構成としてもよい。この場合は、側方部材８１〜８４に相当する部材を第２フレーム５にも設けるものとする。
【００３９】
また、室外機１の前面と側面をそれぞれ異なるプリーツシート２１でカバーする構成としてもよい。その場合、例えば、図９において、第１フレーム４の上面部材４３と下面部材４４の起立部４３ａ、４４ａ及び前側上部側方部材８１と前側下部側方部材８３の起立部８１ａ、８３ａにもボルトを通すための孔を設ける。そして、室外機１の前面と略同一寸法に製作した装飾部２の第１支持体２２を第１フレーム４と第２フレーム５の上面部材４３、５３の起立部４３ａ、５３ａに固定し（図１０）、更に、装飾部２の第２支持体２３を第１フレーム４と第２フレーム５の下面部材４４、５４の起立部４４ａ、５４ａに固定する（図示略）。また、室外機１の側面と略同一寸法に製作した装飾部２の第１支持体２２を前側上部側方部材８１と後側上部側方部材８２の起立部８１ａ、８２ａに固定し（図１０）、更に、装飾部２の第２支持体２３を前側下部側方部材８３と後側下部側方部材８４の起立部８３ａ、８４ａに固定する（図示略）。
【００４０】
以上、本発明を実施するための形態について説明を行ったが、本発明は上記実施形態に限定されず、本発明の趣旨の範囲で適宜変更が許容される。例えば、本発明に係る装飾材は、空気調和装置の室外機カバーとして利用するほか、空気調和装置の室内機のカバーや、その他の吸気機構及び／又は排気機構を備えた装置、例えば、給湯器や換気扇などのカバーとして利用したり、ベランダ又は庭に設けられた柵に取り付ける通風型の装飾材としたりすることもできる。また、プリーツシートに設けられる立体的な装飾及び開口部の形状は、図２で示したものに限定されず、例えば、図１１（ａ）、（ｂ）に示すように切れ目２７の端部の少なくともいずれかを山線２５と谷線２６の中間部に位置させたり、図１１（ｃ）に示すように谷折りの折り目２８を左右非対称としたりしてもよい。また、例えば図１１（ｄ）に示すように、谷折りの折り目２８を切れ目２７の右側（又は左側）のみに設けることで、三角形の立体模様３１と、正面視で三角形の開口部３２とが形成されるようにしてもよい。また更に、図１１（ｅ）に示すように、切れ目２７をプリーツシートの谷線２６に対して斜めに交叉するように設けてもよい。この場合も、切れ目２７の両端から谷線２６上の一点に延びる谷折りの折り目２８を設け、切れ目２７と谷折りの折り目２８とで囲まれた領域には、プリーツシートの谷線２６に代えて、前記一点から切れ目２８に引かれた垂線である山折りの折り目２９を設ける。この場合、プリーツシートを山線２５、谷線２６（切れ目２７と谷折りの折り目２８とで囲まれた領域に含まれる部分を除く）、谷折りの折り目２８、及び山折りの折り目２９に沿って折り曲げることによって形成される立体模様３１及び開口部３２はいずれも菱形でない平行四辺形となる。あるいは、立体的な装飾は施さず、単にプリーツシートの一部をくり貫くことで開口部を設けるようにしてもよい。その場合、該開口部をプリーツシートの山線上又は谷線上に形成することで、プリーツシートに当たってプリーツの折り目に沿って流れた風が効果的に開口部を通過できるようにする。
【００４１】
また、室外機カバーのように機器の排気口の前方に本発明に係る装飾材を取り付ける場合には、図１に示すように、開口部３２を有する立体模様３１が突出している面が機器とは逆側を向くようにプリーツシート２１を取り付けるのが望ましいが、機器の吸気口の前方に本発明に係る装飾材を取り付ける場合には、立体模様３１が突出する面が機器と対向するように（すなわち図１とは表裏が逆の向きに）プリーツシート２１を取り付けることが望ましい。これにより、立体模様３１によって空気を効率よく開口部３２に集めて機器の吸気口に送ることができる。また、一枚のプリーツシート２１上に該シート２１の表面側に突出する立体模様３１と該シート２１の裏面側に突出する立体模様３１の両方を設けた構成としてもよい。例えば、図６で示したように、室外機１の前面と上面とをプリーツシート２１で覆う場合には、室外機１の上面を覆う領域にはプリーツシート２１の裏面（ここでは機器と対向する面）側に突出する立体模様を複数個形成し、室外機１の前面を覆う領域にはプリーツシート２１の表面側に突出する立体模様を複数個形成する。これにより、室外機１からの排気を効率よく通過させつつ、プリーツシート２１の上に雨が溜まるのを防止することができる。
【符号の説明】
【００４２】
１…室外機
１１…ファンガード
１２…点検口
２…装飾部
２１…プリーツシート
２２…第１支持体
２３…第２支持体
２４…プリーツ保持コード
２５…山線
２６…谷線
２７…切れ目
２８…谷折りの折り目
２９…山折りの折り目
３１…立体模様
３２…開口部
４…第１フレーム
５…第２フレーム
【図１】
2018151085.tif 000003
【図２】
2018151085.tif 000004
【図３】
2018151085.tif 000005
【図４】
2018151085.tif 000006
【図５】
2018151085.tif 000007
【図６】
2018151085.tif 000008
【図７】
2018151085.tif 000009
【図８】
2018151085.tif 000010
【図９】
2018151085.tif 000011
【図１０】
2018151085.tif 000012
【図１１】
2018151085.tif 000013